【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
ＲＦ／ＭＲＩ適合医療用デバイスであって、
対向する近位部分および遠位部分を有する少なくとも１つの導体を含む細長い電気医療用リード線を備え、該少なくとも１つの導体は、第１の区画を有し、該第１の区画は、第１の物理長だけ、第１の長さ方向に延び、次いで、第２の物理長だけ、実質的に対向する長さ方向に延びる少なくとも１つの第２の逆区画を規定するように折れ曲がり、次いで、第３の物理長だけ、該第１の長さ方向に延びる第３の区画を規定するように再び折れ曲がる、ＲＦ／ＭＲＩ適合医療用デバイス。
【請求項２】
前記第１の物理長、第２の物理長および第３の物理長は、互いに対して近接して位置し、前記少なくとも１つの導体の全体の長さ未満の部分を占有する、請求項１に記載の医療用デバイス。
【請求項３】
前記少なくとも１つの導体は、それ自体が複数回、対向する長さ方向に折れ曲がることにより、対応する逆区画によって分離されている複数の第１の順方向区画および第３の順方向区画を規定して、その結果、該逆区画のうちのいくつかが、前記リード線の実質的に共通の長さ方向部分に沿って、互いに近接して存在する、請求項１に記載の医療用デバイス。
【請求項４】
前記区画のうちの少なくとも１つは、コイル状部分を有する、請求項１に記載の医療用デバイス。
【請求項５】
前記第３の順方向区画は、前記第１の順方向区画に近接して存在し、前記第２の逆区画は、該第３の順方向区画と該第１の順方向区画との間に存在する、請求項１に記載の医療用デバイス。
【請求項６】
前記第１の区画、第２の区画および第３の区画は、前記導体の全体の長さのわずかな長さを占有し、該導体は、該第１の区画、第２の区画および第３の区画を形成する第１の組の折れ曲がりが、第１の区画、第２の区画および第３の区画の別のセグメントを形成する第２の組の折れ曲がりに統合される、請求項１に記載の医療用デバイス。
【請求項７】
前記少なくとも１つの導体は、複数の導体であり、該複数の導体は、それぞれ、少なくとも１つの組の第１の区画、第２の区画および第３の区画を有し、前記リード線は、さらに、複数の電極を備え、少なくとも１つの電極が該複数の導体のうちの１つ以上に接続される、請求項１に記載の医療用デバイス。
【請求項８】
前記少なくとも１つの導体は、複数の導体であり、該複数の導体は、それぞれ、第１のコイル状区画、第２のコイル状区画または第３のコイル状区画を含み、第１のコイル状区画、第２のコイル状区画または第３のコイル状区画は、実質的に共通の物理長さ方向位置において他の導体の第１の区画、第２の区画または第３の区画のうちの少なくとも１つと一緒に巻かれている、請求項１に記載の医療用デバイス。
【請求項９】
前記リード線は、約２０ＭＨｚ〜約２００ＭＨｚの範囲の誘導電流の帯域幅抑制を実質的に提供するように構成される、請求項１に記載の医療用デバイス。
【請求項１０】
前記リード線は、埋め込み型であり、１つの端部部分において、埋め込み型治療デバイスおよび／または埋め込み型治療デバイスに接続するリード延長線に接続される、請求項１に記載の医療用デバイス。
【請求項１１】
前記埋め込み型治療デバイスは、ＩＰＧ（埋め込み型パルス発生器）を含む、請求項１０に記載の医療用デバイス。
【請求項１２】
前記リード線は、心臓ペースメーカリード線、除細動器リード線または心臓モニタリード線のうちの少なくとも１つである、請求項１に記載の医療用デバイス。
【請求項１３】
前記リード線は、脳神経変調リード線または脊椎刺激リード線である、請求項１に記載の医療用デバイス。
【請求項１４】
前記リード線のインピーダンスは、ＭＲＩスキャナの動作周波数に関連する目標周波数範囲において局所的な極大値を有する、請求項１に記載の医療用デバイス。
【請求項１５】
前記リード線は、複数の導体を含み、前記少なくとも１つの導体は、前記第１の区画、第２の区画および第３の区画を有し、該第１の区画、第２の区画および第３の区画は、複数の組の折れ曲がりを有して構成され、該複数の組の折れ曲がりは、複数の第１の区画、第２の区画および第３の区画を規定し、該複数の組の折れ曲がりを有する該導体は内部導体上に存在する、請求項１に記載の医療用デバイス。
【手続補正２】
【補正対象書類名】明細書
【補正対象項目名】００３８
【補正方法】変更
【補正の内容】
【００３８】
本発明のこれらの特徴および他の特徴は、本発明の例示的実施形態に関する以下の発明を実施するための形態を、添付の図面と併用して熟読することによって、より容易に理解されるであろう。
例えば、本発明は以下の項目を提供する。
（項目１）
対向する遠位端部分および近位端部分を含むある長さを有する少なくとも１つの導体を含み、該少なくとも１つの導体は、多層積層型コイル構成を含む少なくとも１つの区画を有し、該少なくとも１つの区画は、
第１の順方向物理長について、順長さ方向に延び、次いで、近接して位置する逆方向コイル状区間につながるように折れ曲がる第１の順方向コイル状区間と、
逆方向物理長について、実質的に対向する逆長さ方向に延び、次いで、近接して位置する第２の順方向コイル状区間につながるように折れ曲がる逆方向コイル状区間と、
第２の順方向物理長について、該順長さ方向に延びる第２の順方向コイル状区間と
を備える、
ＲＦ／ＭＲＩ適合リード線。
（項目２）
上記第１の順方向区間、上記第２の順方向区間、および上記逆方向コイル状区間のうちの少なくとも２つは、実質的に一定の直径のコイル構成を有する、項目１に記載のリード線。
（項目３）
上記第１の順方向コイル状区間、上記第２の順方向コイル状区間、および上記逆方向コイル状区間は、実質的に同心的である、項目１に記載のリード線。
（項目４）
上記順方向および逆方向コイル状区間の少なくともいくつかの回転は、並んで長さ方向の配向において、相互に近接して存在する、項目１に記載のリード線。
（項目５）
上記逆方向コイル状区間の少なくともいくつかの回転は、上記第１の順方向コイル状区間に近接して、かつその上に存在する、項目１に記載のリード線。
（項目６）
上記逆方向コイル状区間の少なくともいくつかの回転は、上記順方向コイル状区間の少なくとも１つの少なくともいくつかの回転と交互に重ねられる、項目１に記載のリード線。
（項目７）
上記順方向コイル状区間は、中心軸周りに上記長さ方向に延び、該順方向コイル状区間の連続した回転が長さ方向に離間される、間隙を画定するようにピッチを有し、上記逆方向コイル状区間は、該中心軸周りに延び、その回転が、該順方向コイル状区間の該間隙に実質的に存在するようにピッチを有する、項目１に記載のリード線。
（項目８）
上記第２の順方向コイル状区間は、上記第１の順方向および上記逆方向コイル状区間の回転よりも多い回転を有する、項目１に記載のリード線。
（項目９）
上記第１の順方向コイル状区間は、第１の層に存在し、上記逆方向コイル状層は、該第１の層の上の第２の層に存在し、上記第２の順方向コイル状区間は、該第２の層の上の第３の層に存在して、３層積層型導体コイル構成を画定する、項目１に記載のリード線。
（項目１０）
上記第１のコイル状順方向区間および上記逆方向コイル状区間は、実質的に共通の層に存在し、上記第２のコイル状順方向区間は、該第１の順方向および逆方向コイル状区間の上に存在して、２層積層型導体コイル構成を画定する、項目１に記載のリード線。
（項目１１）
上記第１のコイル状順方向区間および上記逆方向コイル状区間は、実質的に同一ピッチを有し、上記第２の順方向コイル状区間は、該第１および逆方向コイル状区間のピッチよりも小さいピッチを有する、項目１に記載のリード線。
（項目１２）
上記少なくとも１つの導体は、複数の導体であり、各々は、少なくとも１つの組の上記第１および第２の順方向コイル状区間ならびに上記逆方向コイル状区間の多層積層型コイル構成を含む少なくとも１つの区画を有する、項目１に記載のリード線。
（項目１３）
上記第１のコイル状順方向区間および上記逆方向コイル状区間は、実質的に同一ピッチを有し、上記第２の順方向コイル状区間は、該第１および逆方向コイル状区間のピッチよりも小さいピッチを有する、項目１２に記載のリード線。
（項目１４）
上記多積層型コイル構成の少なくとも１つの区画は、３つを上回る層の積層型コイルを有する、項目１に記載のリード線。
（項目１５）
上記少なくとも１つの導体は、複数の導体であり、該導体の各々は、絶縁される、項目１に記載のリード線。
（項目１６）
上記少なくとも１つの導体を収容し、かつ上記リード線の上記長さの少なくとも大部分が、実質的に一定の外径を有するように構成される可撓性ポリマー外層をさらに備える、項目１に記載のリード線。
（項目１７）
中心長さ方向軸の周囲に存在する細長い内側可撓性スリーブをさらに備え、上記多層積層型コイル構成は、該スリーブを包囲する、項目１に記載のリード線。
（項目１８）
上記少なくとも１つの導体は、約０．０００１インチから約０．２インチの間の断面幅を有する導体を含む、項目１に記載のリード線。
（項目１９）
上記リード線は、ＭＲＩ／ＭＲＳ適合の埋め込み型医療用リード線である、項目１に記載のリード線。
（項目２０）
少なくとも１つの電極をさらに備え、上記リード線は、複数の導体を備え、該導体のうちの１つ以上は、該少なくとも１つの電極と連通する、項目１に記載のリード線。
（項目２１）
上記リード線は、可撓性であり、上記少なくとも１つの導体は、低ＤＣ抵抗を有する、項目１に記載のリード線。
（項目２２）
上記リード線は、約４Ｗ／ｋｇから約１０Ｗ／ｋｇの間のピーク入力ＳＡＲおよび／または約２Ｗ／ｋｇから約４Ｗ／ｋｇの間の全身平均ＳＡＲを生成する目標ＲＦ周波数に患者が晒される場合に、該リード線が、摂氏約１０度未満に局所組織を加熱するように、または局所組織を加熱しないように構成される、項目２０に記載のリード線。
（項目２３）
上記導体は、上記多層積層型コイル構成の少なくとも２つの区画を有し、一方の区画における１つの多層積層型コイル構成の上部層の順方向区間は、他方の区画の底部層の順方向区間につながる、項目１に記載のリード線。
（項目２４）
上記電気リード線は、約４〜１０Ｗ／ｋｇの間のピーク入力ＳＡＲおよび／または約２〜５Ｗ／ｋｇの間の全身平均ＳＡＲにおけるＭＲスキャナに関連する目標ＲＦ周波数に晒された場合に、摂氏約５度未満に局所組織を加熱する、項目２０に記載のリード線。
（項目２５）
上記細長い電気リード線は、複数の導体を備え、該複数の導体の各々は、連続した長さの導体であり、該リード線は、可撓性である、項目１に記載のリード線。
（項目２６）
上記少なくとも１つの導体は、該導体の長さに沿って一方の区画が次の隣接する区画につながるように連続的に配置される複数の多積層型区画を有し、該多積層型区画の各々は、約１５ｃｍ未満の長さを有し、上記リード線は、低ＤＣ抵抗を有する、項目１に記載のリード線。
（項目２７）
上記少なくとも１つの導体は、第１の導体の少なくとも１つの多積層型区画が、第２の導体の少なくとも１つの多積層型区画のコイル状区間に実質的に同心的であるコイル状区間を有するように構成される複数の導体である、項目１に記載のリード線。
（項目２８）
上記少なくとも１つの導体は、第１の導体の１つの多積層型区画が、上記リード線の長さに沿って、第２の導体の１つの多積層型区画の下流または上流に存在するように構成される複数の導体である、項目１に記載のリード線。
（項目２９）
上記少なくとも１つの導体は、約１〜１００個の間の導体である、項目１に記載のリード線。
（項目３０）
上記導体の少なくとも大部分は、複数の上記多積層型コイル構成を有し、上記少なくとも１つの導体は、その上記長さに沿って、約４〜１００個の間の多積層型区画を有する、項目２９に記載のリード線。
（項目３１）
上記リード線は、第１および第２の絶縁導体を備え、各々は、上記多積層型コイル構成を含む複数の区画を有し、該第１の導体の該多積層型コイル構成の該区画は、該リード線の長さに沿って、該第２の導体の該多積層型コイル構成の該区画のうちの区画と交互する、項目１に記載のリード線。
（項目３２）
上記リード線は、医療部位に把持または吊り下げられた場合に、対向する長い側面および／または端部分が、一緒に垂れ下がるか、または垂れるように十分可撓性である、項目１に記載のリード線。
（項目３３）
上記少なくとも１つの導体は、多積層型コイル構成を有する区画から、その上流に存在する電極へ延びる単一層コイル延長部を備える、項目１に記載のリード線。
（項目３４）
リード線を作製する方法であって、順方向コイルを形成するために、順長さ方向にマンドレルの周りに少なくとも１つの導体を巻くステップと、次いで、逆方向コイルを形成するために、逆長さ方向に該マンドレルの上に該少なくとも１つの導体を巻くステップとを含む、方法。
（項目３５）
上記巻くステップの前に上記マンドレルの上にスリーブを提供するステップをさらに含む、項目３４に記載の方法。
（項目３６）
上記逆方向コイルを形成するために上記少なくとも１つの導体を巻くステップの後に、上記下にある順方向および逆方向コイルの上に別の順方向コイルを形成するために、再び上記順長さ方向に該少なくとも１つの導体を巻き、次いで、それぞれの導体について約２〜１００個の間の積層型コイル構成を形成するために上記巻くステップを自動的に繰り返すステップをさらに含む、項目３４に記載の方法。
（項目３７）
上記逆方向コイルを形成するために上記少なくとも１つの導体を巻く上記ステップの後に、（ａ）上記順方向および逆方向コイルの上に上側層順方向コイルを形成するために、および（ｂ）上記第１の順方向および逆方向コイルの上流に別の順方向コイルの下側層を形成するために、再び上記順長さ方向に上記マンドレルの上に該少なくとも１つの導体を巻くステップをさらに含む、項目３４に記載の方法。
（項目３８）
上記巻くステップは、上記導体を積層型コイルの多数の層へと形成する、項目３７に記載の方法。
（項目３９）
上記巻き動作中に、ワイヤマンドレルを緊張するステップをさらに含む、項目３４に記載の方法。
（項目４０）
上記導体は、約０．０００１インチから約０．２インチの間の横断面幅を有する、項目３４に記載の方法。
（項目４１）
可撓性外層を上記コイル状導体に形成するステップをさらに含む、項目３４に記載の方法。
（項目４２）
上記形成するステップは、上記外層を押出しすること、ドローダウンすること、または射出成形することを含む、項目４１に記載の方法。
（項目４３）
上記形成するステップは、上記マンドレルおよび／またはスリーブ上に保持しながら上記巻き導体を金型の中に配置し、次いで、該巻き導体を覆うように該金型に成形可能材料を流動可能に導入し、そして上記リード線の一体化部分である該スリーブを形成するステップを含む、項目４１に記載の方法。
（項目４４）
上記少なくとも１つの導体は、複数の導体である、項目３４に記載の方法。
（項目４５）
上記少なくとも１つの導体の長さ方向に沿って離間された、複数の接続された組の順方向、逆方向、および順方向コイル区間を形成するために、上記巻くステップを繰り返すことをさらに含む、項目３４に記載の方法。
（項目４６）
上記順方向および逆方向コイルを上記巻くステップは、マンドレルを形成することによって画定される中心軸の周りの回転で、上記それぞれのコイルを実質的に同心的に巻くステップを含み、該中心軸は、上記長さ方向に延びる、項目３４に記載の方法。
（項目４７）
上記順方向コイルを上記巻くステップは、時計回りまたは反時計回り方向のうちの１つにおいて第１のピッチで上記導体を巻くステップによって実行され、上記逆方向コイルを上記巻くステップは、上記逆方向コイル区間の回転が該順方向コイルによって残された間隙に存在し、該順方向コイルの回転と交互になるように、該時計回りまたは反時計回りとは反対の回転方向において、同じ該第１のピッチで該導体を巻くことによって実行される、項目３４に記載の方法。
（項目４８）
上記逆方向コイルを上記巻くステップは、上記順方向コイルの少なくともいくつかの回転の上に、該逆方向コイルの少なくともいくつかの回転を積層するステップを含む、項目３４に記載の方法。
（項目４９）
上記順方向コイルを上記巻くステップは、少なくともいくつかのその隣接する回転の間に間隙空間を残すステップを含み、上記逆方向コイルを上記巻くステップは、該順方向および逆方向コイルのうちの少なくともいくつかの回転が、交互に重ねられるパターンで並んで存在するように、該順方向コイルによって形成されたそれぞれの間隙空間に該逆方向コイルのそれぞれの回転を配置するステップを含む、項目３４に記載の方法。
（項目５０）
上記逆方向コイルを上記巻くステップは、第２のコイル層において、上記順方向コイルの回転の上に該逆方向コイルの回転を巻くステップを含み、上記方法は、３層積層型コイル構成を形成するために、第３のコイル層において、該逆方向コイルの上に第２の順方向コイルを巻くステップをさらに含む、項目３４に記載の方法。
（項目５１）
上記第１の層の上記順方向コイルの巻きピッチは、上記第２の層の上記逆方向コイルの巻きピッチと実質的に同一であり、上記第３の層の上記順方向コイルの巻きピッチは、該第１および第２の層の該ピッチよりも小さい（密接する）、項目５０に記載の方法。
（項目５２）
コイルの上記第１、第２、および第３の層の上記回転巻き方向は、同一である、項目５１に記載の方法。
（項目５３）
上記少なくとも１つの導体は、少なくとも１つの多層積層型コイル構成を形成するように共巻きされる複数の導体である、項目３４に記載の方法。
（項目５４）
上記第１、第２、および第３の層の上記コイルの各々は、関連した回転数を有し、該第３の層のコイルは、該第１および第２の層のコイルの少なくとも２倍の回転数を有する、項目５１に記載の方法。
（項目５５）
上記巻くステップは、上記順方向および逆方向コイルが第１の層に存在するように実行され、上記方法は、該第１の層の該順方向および逆方向コイルの上の第２の層に別の順方向区間を巻くステップをさらに含み、該第１および第２の層の該コイルの各々は、関連した回転数を有し、該第２の層のコイルは、該第１および第２の層のコイルの少なくとも約２倍の回転数を有する、項目３４に記載の方法。
（項目５６）
上記巻くステップは、上記順方向および逆方向コイルが第１の層に存在するように実行され、上記方法は、該第１の層の該順方向および逆方向コイルの上の第２の層に別の順方向区間を巻くステップをさらに含み、該第１の層の順方向コイルは、時計回りまたは反時計回り方向に巻かれ、該逆方向コイルは、該時計回りまたは反時計回りとは反対の方向に巻かれ、該第２の層の順方向コイルは、該逆方向コイルの方向と同一の回転方向に巻かれる、項目３４に記載の方法。
（項目５７）
上記リード線は、約４Ｗ／ｋｇから１０Ｗ／ｋｇの間のピーク入力ＳＡＲおよび／または約２Ｗ／ｋｇから４Ｗ／ｋｇの間の全身平均ＳＡＲにおける目標ＲＦ周波数へ患者が晒される場合に、該リード線が、摂氏約１０度未満に局所組織を加熱する、または局所組織を加熱しない、項目３４に記載の方法。
（項目５８）
マンドレルを形成するステップは、約０．０００１インチから約０．２インチの間の外径を有し得る、項目３４に記載の方法。
（項目５９）
上記リード線を滅菌化するステップと、該滅菌化するステップの前または後に、該リード線を医療リード線にパッケージ化するステップとをさらに含む、項目３４に記載の方法。
（項目６０）
医療用リード線の上に収容体層を成形する方法であって、少なくとも１つの螺旋状ストリップの材料を少なくとも１つの導体の外面に取り付けるステップと、次いで、可撓性医療用電気リード線を形成するために外層を該導体に成形するステップとを含む、方法。
（項目６１）
上記取り付けるステップは、シリコーンのストリップを上記導体の上記外面に塗布するステップを含む、項目６０に記載の方法。
（項目６２）
細長いチャネルを有する下側部材と、
細長いチャネルを有する上側部材であって、該上側部材と下側部材とのチャネルが、型穴を画定するように整列されるように、該下側部材に嵌合可能に取り付けるようなサイズであり、かつ取り付けるように構成される、上側部材と、
該型穴に存在するようなサイズであり、かつ存在するように構成される少なくとも１つの導体と
を備え、該上側部材および下側部材のうちの少なくとも１つは、該型穴に連通する成形材料導入ポートを有し、該金型は、該少なくとも１つの導体上に可撓性重ね成形層を成形するようなサイズであり、かつ成形するように構成される、
埋め込み型医療用リード線用の金型。
（項目６３）
上記上側および下側部材のチャネルは、約０．００１インチから約０．２インチの間の浅い深さと、約１ｃｍから約１５０ｃｍの間の長さとを有する、項目６２に記載の金型。
（項目６４）
上記リード線サブアセンブリは、その外面上に、上記型穴の中に該リード線サブアセンブリをぴったり位置決めする可撓性螺旋状ストリップを備える、項目６２に記載の金型。
（項目６５）
上記型穴は、上記上側および下側部材の少なくとも１つの端部において開放され、上記少なくとも１つの導体は、その中心を軸方向に貫通する形成マンドレルの上にスリーブを備え、該スリーブは、上記リード線の一体化部分を形成し、該マンドレルは、成形前、成形中、または成形後に取り除かれる、項目６２に記載の金型。
（項目６６）
少なくとも１つの導体を備える電気リード線アセンブリであって、該少なくとも１つの導体は、その外面の上に可撓性材料の少なくとも１つの螺旋状の線を備える、
電気リード線アセンブリ。
（項目６７）
上記少なくとも１つの螺旋状の線の材料は、少なくとも１つのストリップのシリコーンを含む、項目６６に記載の電気リード線サブアセンブリ。
（項目６８）
ある長さを有する少なくとも１つの連続導体を備え、
それぞれの導体は、複数の密集する実質的に同心的なコイルを含む少なくとも１つの区画を有し、該コイルは、一つのコイルの少なくともいくつかの回転が、別のコイルの少なくともいくつかの回転の上に存在するように構成される、
ＲＦ／ＭＲＩ適合医療用リード線。
（項目６９）
上記リード線は、可撓性であり、第１および第２の導体ならびに複数の電極を備え、かつ低ＤＣ抵抗を有し、該第１の導体は、コイルの複数の上記区画を有し、かつ該電極のうちの１つと連通し、該第２の導体は、コイルの複数の該区画を有し、かつ該電極のうちの別の電極と連通する、項目６８に記載の医療用リード線。
（項目７０）
上記リード線は、可撓性であり、少なくとも第１および第２の導体ならびに少なくとも１つの電極を備え、かつ低ＤＣ抵抗を有し、該第１の導体は、コイルの複数の上記区画を有し、かつ該電極のうちの１つと連通し、該第２の導体は、コイルの複数の該区画を有し、かつ該第１の導体と同一の電極と連通する、項目６８に記載の医療用リード線。
（項目７１）
少なくとも１つの多層積層型コイル構成を含む少なくとも１つの導体を有し、
該導体は、該積層型コイル構成において少なくとも２回長さ方向に本体を折り返し、該少なくとも１つの導体は、その遠位端部分において、電極に接続する順方向コイル区間につながる、
可撓性医療用リード線。
（項目７２）
上記リード線は、心臓リード線である、項目７１に記載の可撓性医療用リード線。
（項目７３）
上記リード線は、埋め込み型心臓リード線である、項目７１に記載の可撓性医療用リード線。
（項目７４）
上記リード線は、神経変調リード線である、項目７１に記載の可撓性医療用リード線。
（項目７５）
上記リード線は、埋め込み型脳深部刺激リード線である、項目７１に記載の可撓性医療用リード線。
（項目７６）
上記リード線は、脊髄刺激リード線である、項目７１に記載の可撓性医療用リード線。
（項目７７）
上記リード線は、介入電気生理学心臓リード線である、項目７１に記載の可撓性医療用リード線。
（項目７８）
少なくとも第１および第２の導体を有する医療用リード線であって、
該第１および第２の導体は、少なくとも１つの多層積層型共巻き型コイル構成を有し、
該第１および第２の導体のそれぞれの第１の順方向コイル状区間は、第１の順方向物理長について、順長さ方向に延び、次いで、近接して位置する逆方向コイル状区間につながるように長さ方向において折れ曲がり、該逆方向コイル状区間は、逆方向物理長について、実質的に反対の逆長さ方向に延び、次いで、近接して位置する第２の順方向コイル状区間につながるように該長さ方向において折れ曲がり、該第２の順方向コイル状区間は、該順長さ方向に延びる、
医療用リード線。
（項目７９）
上記リード線は、少なくとも１つの電極をさらに備え、上記第１および第２の導体の各々は、同一の電極に接続する、項目７８に記載の医療用リード線。
（項目８０）
上記リード線は、複数の電極をさらに備え、上記第１および第２の導体は、異なる電極に接続する、項目７８に記載の医療用リード線。
（項目８１）
少なくとも１つの導体を備える能動固定式心臓リード線であって、
該少なくとも１つの導体は、該導体が、少なくとも２回本体を長手方向に折れ曲がり、ネジ電極と連通する少なくとも１つの多層積層型コイル構成を有し、
該ネジ電極は、局所組織を係合するように進められ得る、
能動固定式心臓リード線。
（項目８２）
直線的並進部材を画定する直線状摺動部と連通するホイールと、
第１および第２の対向する端部分を有する連結ロッドであって、該第１の端部分は、該ホイールに取り付けられる連結ロッドと、
該ホイールを所望の速度で回転させる、該ホイールと連通する自動式駆動部材と、
該連結ロッドの他方の端部分に取り付けられる摺動ブロックと、
該摺動ブロックに取り付けられ、かつラックギアと連通する回転ギアと、
被検査物ホルダが該回転ギアと連通し、それにより、被検査物が、所望の数の周期について、または、破壊もしくは該被検査物の疲労に関連する検査パラメータの減退まで、直線的力および回転力に自動的に繰り返し晒される、被検査物ホルダと
を備える、自動式疲労性検査装置。
（項目８３）
上記被検査物への回転力を調整するために、上記ラックギアは、交換可能な異なるサイズの直径の回転ギアと恊働するように、上記摺動ブロックに対して摺動可能に調整可能である、項目８２に記載の自動検査装置。
（項目８４）
上記回転ホイールは、該回転ホイールの中心から異なる半径位置に位置する複数の円周方向に離間した装着ピン開口部を備え、上記連結ロッドは、その上記第１の端部分において、該開口部のうちの選択された１つにおいて存在する装着ピンに取り付けられ、上記摺動ブロックの直線移動調整を可能にする、項目８２に記載の自動検査装置。